(57)【要約】      （修正有）【課題】使用時には、捕獲された小動物を、上面材の開閉により収容でき、不使用時には内方に向けてく字状に折曲し、折り畳むことができる小動物収容箱を提供する。【解決手段】底面材１ａ、左側面材１ｂ、右側面材１ｃ、前面材１ｄ及び後面材１ｅからなる上面が開口する四角箱状に形成され、上面材１ｆは上縁部に形成された折曲線部Ｇを支点として垂直位置から水平位置へと開閉揺動可能に形成され、上面材の辺部と開口縁部２ｂ〜２ｄとを着脱固定可能な止着部材３を設け、上面材に内部を覗見可能な覗窓部４を設けてなる。また、左側面材と右側面材の上部、下部、及び中程部に、内方へ向けてくの字状に折曲して折りたたむことができる水平折曲線部Ｍが形成されている。【選択図】図２
0003195688.tif 000002
【実用新案登録請求の範囲】
【請求項１】
底面材、左側面材、右側面材、前面材及び後面材からなる上面が開口する四角箱状に形成され、該上面の開口は上面材により開閉可能に設けられた収容箱において、上記上面の開口に合う左開口縁部、右開口縁部、前開口縁部及び後開口縁部からなる四角枠状の開口縁部材を形成し、該開口縁部材の左開口縁部に上記左側面材の上縁部を固着すると共に該開口縁部材の右開口縁部に上記右側面材の上縁部を固着し、該開口縁部材の前開口縁部に上記前側面材の上縁部を固着すると共に該開口縁部材の後開口縁部に上記後面材の上縁部を固着し、該前面材及び後面材はそれぞれ各上縁部に形成された支点折曲線部を支点として垂直位置から水平位置へと跳上揺動可能に形成され、上記左側面材及び上記右側面材はそれぞれ上部、下部及び上下の中程部に形成された水平折曲線部を中心として内方に向けてく字状に折曲可能に形成され、上記上面材の四つの辺部のうちの一つの辺部を上記開口縁部材のいずれかの開口縁部に固着し、該上面材は上縁部に形成された折曲線部を支点として垂直位置から水平位置へと開閉揺動可能に形成され、上記上面材の残りの三つの辺部と該開口縁部材の対向するそれぞれの開口縁部とを着脱固定可能な止着部材を設け、該上面材に内部を覗見可能な覗窓部を設けてなることを特徴とする小動物収容箱。
【請求項２】
上記底面材、左側面材、右側面材、前面材、後面材及び上面材はハニカムコア構造の合成樹脂製板材からなることを特徴とする請求項１記載の小動物収容箱。
【請求項３】
上記開口縁部材は合成樹脂製であることを特徴とする請求項１又は２記載の小動物収容箱。
【請求項４】
上記止着部材は相互に着脱自在な一対の止着材からなる面ファスナからなることを特徴とする請求項１〜３のいずれか１項に記載の小動物収容箱。
【考案の詳細な説明】
【技術分野】
【０００１】
本考案は、例えば、タヌキ、アライグマ、ハクビシン、キツネ、イタチなどの捕獲した小動物を収容する際に用いられる小動物収容箱に関するものである。
【背景技術】
【０００２】
従来、この種の小動物収容箱として、四角箱状の収容箱内に空気冷却及び加温設備を備えた構造や紙板材により四角箱状に形成した簡易な構造のものが知られている。
【先行技術文献】
【特許文献】
【０００３】
【特許文献１】特開平１０−１５０８７７号
【考案の概要】
【考案が解決しようとする課題】
【０００４】
しかしながら上記従来構造の場合、前者にあっては構造が複雑化して重量化し、後者にあっては可搬性及び使用の利便性に乏しいことがあるという不都合を有している。
【課題を解決するための手段】
【０００５】
本考案はこれらの不都合を解決することを目的とするもので、本考案のうちで、請求項１記載の考案は、底面材、左側面材、右側面材、前面材及び後面材からなる上面が開口する四角箱状に形成され、該上面の開口は上面材により開閉可能に設けられた収容箱において、上記上面の開口に合う左開口縁部、右開口縁部、前開口縁部及び後開口縁部からなる四角枠状の開口縁部材を形成し、該開口縁部材の左開口縁部に上記左側面材の上縁部を固着すると共に該開口縁部材の右開口縁部に上記右側面材の上縁部を固着し、該開口縁部材の前開口縁部に上記前側面材の上縁部を固着すると共に該開口縁部材の後開口縁部に上記後面材の上縁部を固着し、該前面材及び後面材はそれぞれ各上縁部に形成された支点折曲線部を支点として垂直位置から水平位置へと跳上揺動可能に形成され、上記左側面材及び上記右側面材はそれぞれ上部、下部及び上下の中程部に形成された水平折曲線部を中心として内方に向けてく字状に折曲可能に形成され、上記上面材の四つの辺部のうちの一つの辺部を上記開口縁部材のいずれかの開口縁部に固着し、該上面材は上縁部に形成された折曲線部を支点として垂直位置から水平位置へと開閉揺動可能に形成され、上記上面材の残りの三つの辺部と該開口縁部材の対向するそれぞれの開口縁部とを着脱固定可能な止着部材を設け、該上面材に内部を覗見可能な覗窓部を設けてなることを特徴とする小動物収容箱にある。
【０００６】
又、請求項２記載の考案は、上記底面材、左側面材、右側面材、前面材、後面材及び上面材はハニカムコア構造の合成樹脂製板材からなることを特徴とするものであり、又、請求項３記載の考案は、上記開口縁部材は合成樹脂製であることを特徴とするものであり、又、請求項４記載の考案は、上記止着部材は相互に着脱自在な一対の止着材からなる面ファスナからなることを特徴とするものである。
【考案の効果】
【０００７】
本考案は上述の如く、請求項１記載の考案にあっては、底面材、左側面材、右側面材、前面材及び後面材からなる上面が開口する四角箱状に形成され、上面の開口は上面材により開閉可能に設けられ、上記上面の開口に合う左開口縁部、右開口縁部、前開口縁部及び後開口縁部からなる四角枠状の開口縁部材を形成し、開口縁部材の左開口縁部に上記左側面材の上縁部を固着すると共に開口縁部材の右開口縁部に上記右側面材の上縁部を固着し、開口縁部材の前開口縁部に上記前面材の上縁部を固着すると共に開口縁部材の後開口縁部に上記後面材の上縁部を固着し、前面材及び後面材はそれぞれ各上縁部に形成された支点折曲線部を支点として垂直位置から水平位置へと跳上揺動可能に形成され、上記左側面材及び上記右側面材はそれぞれ上部、下部及び上下の中程部に形成された水平折曲線部を中心として内方に向けてく字状に折曲可能に形成され、上記上面材の四つの辺部のうちの一つの辺部を上記開口縁部材のいずれかの開口縁部に固着し、上面材は上縁部に形成された折曲線部を支点として垂直位置から水平位置へと開閉揺動可能に形成され、上記上面材の残りの三つの辺部と開口縁部材の対向するそれぞれの開口縁部とを着脱固定可能な止着部材を設け、上面材に内部を覗見可能な覗窓部を設けてなるから、例えば、使用状態にあっては、捕獲された小動物を上面材を折曲線部を支点として開口揺動して収容すると共に上面材を折曲線部を中心として閉口揺動し、上面材の開閉揺動により小動物を収容することができ、又、不使用状態にあっては、図８（ａ）の使用状態から、図８（ｂ）及び図５の如く、前面材及び後面材を支点折曲線部を支点として垂直位置から水平位置へと跳上揺動し、図８（ｂ）の如く、上記左側面材及び上記右側面材をそれぞれ上部、下部及び上下の中程部に形成された水平折曲線部を中心として内方に向けてく字状に折曲し、図６、図８（ｃ）の如く、収容箱を折り畳むことができ、例えば、小動物を捕獲する現場への搬送及び持ち運びが容易となり、可搬性及び使用の利便性を向上することができる。
【０００８】
又、請求項２記載の考案にあっては、上記底面材、左側面材、右側面材、前面材、後面材及び上面材はハニカムコア構造の合成樹脂製板材からなるので、軽量化を図ることができ、又、請求項３記載の考案にあっては、上記開口縁部材は合成樹脂製であるから、製作を容易に行うことができ、又、請求項４記載の考案にあっては、上記止着部材は相互に着脱自在な一対の止着材からなる面ファスナからなるので、上面材の開閉を容易に行うことができると共に構造を簡素化することができる。
【図面の簡単な説明】
【０００９】
【図１】本考案の実施の形態例の全体斜視図である。
【図２】本考案の実施の形態例の開口状態の全体斜視図である。
【図３】本考案の実施の形態例の部分側断面図である。
【図４】本考案の実施の形態例の部分断面図である。
【図５】本考案の実施の形態例の拡大部分側断面図である。
【図６】本考案の実施の形態例の折畳状態の全体斜視図である。
【図７】本考案の実施の形態例の折畳状態の部分断面図である。
【図８】本考案の実施の形態例の折畳過程の斜視図である。
【考案を実施するための形態】
【００１０】
図１乃至図８は本考案の実施の形態例を示し、１は収容箱であって、底面材１ａ、左側面材１ｂ、右側面材１ｃ、前面材１ｄ及び後面材１ｅからなる上面が開口Ｋする四角箱状に形成され、上面の開口Ｋは上面材１ｆにより開閉可能に設けられている。
【００１１】
この場合、図４の如く、上記底面材１ａ、上記左側面材１ｂ及び上記右側面材１ｃは一枚の板材を略コ状に折曲して形成されている。
【００１２】
２は開口縁部材であって、図２の如く、上記上面の開口Ｋに合う左開口縁部２ａ、右開口縁部２ｂ、前開口縁部２ｃ及び後開口縁部２ｄからなる四角枠状に形成されている。
【００１３】
そして、図２、図３、図４、図５の如く、上記開口縁部材２の左開口縁部２ａに上記左側面材１ｂの上縁部を固着すると共に開口縁部材２の右開口縁部２ｂに上記右側面材１ｃの上縁部を固着し、開口縁部材２の前開口縁部２ｃに上記前面材１ｄの上縁部を固着すると共に開口縁部材２の後開口縁部２ｄに上記後面材１ｅの上縁部を固着し、前面材１ｄ及び後面材1ｅはそれぞれ各上縁部に形成された支点折曲線部Ｓ・Ｓを支点として垂直位置から水平位置へと跳上揺動可能に形成されている。
【００１４】
かつ、図２の如く、上記左側面材１ｂ及び上記右側面材１ｃはそれぞれ上部、下部及び上下の中程部に形成された水平折曲線部Ｍ・Ｍ・Ｍを中心として内方に向けてく字状に折曲可能に形成されている。
【００１５】
さらに、図２の如く、上記上面材１ｆの四つの辺部のうちの一つの辺部を上記開口縁部材２のいずれかの開口縁部、この場合、左開口縁部２ａに固着し、上面材１ｆは上縁部に形成された折曲線部Ｇを支点として垂直位置から水平位置へと開閉揺動可能に形成され、上面材１ｆの残りの三つの辺部と開口縁部材２の対向するそれぞれの開口縁部、この場合、右開口縁部２ｂ・前開口縁部２ｃ・後開口縁部２ｄとを着脱固定可能な止着部材３を設けて構成している。
【００１６】
４は覗窓部であって、図１、図２の如く、上記上面材１ｆの側部に形成され、この場合、上面材１ｆに四角穴部４ａを形成し、四角穴部４ａに透明材４ｂを配置し、内部を覗見可能に構成している。
【００１７】
又、この場合、上記底面材１ａ、左側面材１ｂ、右側面材１ｃ、前面材１ｄ、後面材１ｅ及び上面材１ｆは、ハニカムコア構造の合成樹脂製板材により形成され、又、この場合、上記開口縁部材２は合成樹脂製であり、又、この場合、上記止着部材３は相互に着脱自在な一対の止着材３ａ・３ａからなる面ファスナが用いられている。
【００１８】
この実施の形態例は上記構成であるから、図１、図４、図６、図７の如く、底面材１ａ、左側面材１ｂ、右側面材１ｃ、前面材１ｄ及び後面材１ｅからなる上面が開口Ｋする四角箱状に形成され、上面の開口Ｋは上面材１ｆにより開閉可能に設けられ、上記上面の開口Ｋに合う左開口縁部２ａ、右開口縁部２ｂ、前開口縁部２ｃ及び後開口縁部２ｄからなる四角枠状の開口縁部材２を形成し、開口縁部材２の左開口縁部２ａに上記左側面材１ｂの上縁部を固着すると共に開口縁部材２の右開口縁部２ｂに上記右側面材１ｃの上縁部を固着し、開口縁部材２の前開口縁部２ｃに上記前面材１ｄの上縁部を固着すると共に開口縁部材２の後開口縁部２ｄに上記後面材１ｅの上縁部を固着し、前面材１ｄ及び後面材１ｅはそれぞれ各上縁部に形成された支点折曲線部Ｓ・Ｓを支点として垂直位置から水平位置へと跳上揺動可能に形成され、上記左側面材１ｂ及び上記右側面材１ｃはそれぞれ上部、下部及び上下の中程部に形成された水平折曲線部Ｍ・Ｍ・Ｍを中心として内方に向けてく字状に折曲可能に形成され、上記上面材１ｆの四つの辺部のうちの一つの辺部を上記開口縁部材２のいずれかの開口縁部に固着し、上面材１ｆは上縁部に形成された折曲線部Ｇを支点として垂直位置から水平位置へと開閉揺動可能に形成され、上記上面材１ｆの残りの三つの辺部と開口縁部材２の対向するそれぞれの開口縁部とを着脱固定可能な止着部材３を設け、上面材１ｆに内部を覗見可能な覗窓部４を設けてなるから、例えば、使用状態にあっては、図１、図２に示す如く、捕獲された小動物を上面材１ｆを折曲線部Ｇを支点として開口揺動して収容すると共に上面材１ｆを折曲線部Ｇを中心として閉口揺動し、上面材１ｆの開閉揺動により小動物を収容することができ、又、不使用状態にあっては、図８（ａ）の使用状態から、図８（ｂ）及び図５の如く、前面材１ｄ及び後面材１ｅを支点折曲線部Ｓ・Ｓを支点として垂直位置から水平位置へと跳上揺動し、図８（ｂ）の如く、上記左側面材１ｂ及び上記右側面材１ｃをそれぞれ上部、下部及び上下の中程部に形成された水平折曲線部Ｍ・Ｍ・Ｍを中心として内方に向けてく字状に折曲し、図６、図８（ｃ）の如く、収容箱１を折り畳むことができ、例えば、小動物を捕獲する現場への搬送及び持ち運びが容易となり、可搬性及び使用の利便性を向上することができる。
【００１９】
又、この場合、上記底面材１ａ、左側面材１ｂ、右側面材１ｃ、前面材１ｄ、後面材１ｅ及び上面材１ｆはハニカムコア構造の合成樹脂製板材からなるので、軽量化を図ることができ、又、この場合、上記開口縁部材２は合成樹脂製であるから、製作を容易に行うことができ、又、この場合、上記止着部材３は相互に着脱自在な一対の止着材３ａ・３ａからなる面ファスナからなるので、上面材１ｆの開閉を容易に行うことができると共に構造を簡素化することができる。
【００２０】
尚、本発明は上記実施の形態例に限られるものではなく、例えば、収容箱１、開口縁部材２、止着部材３の形状や大きさ、材質等は適宜変更して設計されるものである。
【００２１】
以上の如く、所期の目的を充分達成することができる。
【符号の説明】
【００２２】
Ｋ    開口
Ｓ    支点折曲線部
Ｍ    水平折曲線部
Ｇ    折曲線部
１    収容箱
１ａ    底面材
１ｂ    左側面材
１ｃ    右側面材
１ｄ    前面材
１ｅ    後面材
１ｆ    上面材
２    開口縁部材
２ａ    左開口縁部
２ｂ    右開口縁部
２ｃ    前開口縁部
２ｄ    後開口縁部
３    止着部材
３ａ    止着材
４    覗窓部
【図１】
0003195688.tif 000003
【図２】
0003195688.tif 000004
【図３】
0003195688.tif 000005
【図４】
0003195688.tif 000006
【図５】
0003195688.tif 000007
【図６】
0003195688.tif 000008
【図７】
0003195688.tif 000009
【図８】
0003195688.tif 000010